(57)【要約】【課題】家具の脚に対するずれ動きを防止する椅子やテーブルなどの脚カバーを提供する。【解決手段】椅子などの脚部の下端を包む脚カバーであって、メリヤス編みにて外側生地部２と内側生地部３が連続状態で筒状に編成され、外側生地部２は綿などの天然繊維あるいは合成繊維などを用いて編成されており、内側生地部３はループ部分が生ゴム糸と、芯糸の周りをカバーリングしてなるフィラメント  ツイスト  ヤーンを２本並行に用いてプレーティング編みされ、このループ部分に挿入される挿入部分には芯の生ゴム糸の周りをカバーリングしてなる太ゴムが用いられ、外側生地部２と内側生地部３との繋がり部で内側生地部を裏向けに折り返した状態で外側生地部２の遊端部と内側生地部３の遊端部とを縫製にて閉じてなり、フィラメント  ツイスト  ヤーンのフィラメント糸を加熱収縮させて熱処理が施されており、外側生地部２が表側に位置するように表向けてなる。【選択図】図１
0003145650.tif 000002
【実用新案登録請求の範囲】
【請求項１】
椅子やテーブルなどの脚部の下端を包む脚カバーであって、メリヤス編みにて外側生地部と内側生地部が連続状態で筒状に編成され、外側生地部は綿などの天然繊維あるいは合成繊維などを用いて編成されており、内側生地部はループ部分が生ゴム糸と、芯糸の周りをカバーリングしてなるフィラメント  ツイスト  ヤーンを２本並行に用いてプレーティング編みされ、このループ部分に挿入される挿入部分には芯の生ゴム糸の周りをカバーリングしてなる太ゴムが用いられ、外側生地部と内側生地部との繋がり部で内側生地部を裏向けに折り返した状態で外側生地部の遊端部と内側生地部の遊端部とを縫製にて閉じてなり、前記フィラメント  ツイスト  ヤーンのフィラメント糸を加熱収縮させて熱処理が施されており、外側生地部が表側に位置するように表向けてなることを特徴とする椅子やテーブルなどの脚カバー。
【考案の詳細な説明】
【技術分野】
【０００１】
本考案は、椅子やテーブルなどの脚カバー、詳しくはフローリングなどの床面の傷付き防止などのために椅子やテーブルなどの脚部の下端を包む脚カバーに関するものである。
【背景技術】
【０００２】
従来のこの種脚カバーとしては例えば特許文献１に開示されているように、筒形の編み地の一端を綴じ合わせ、他端に形成した嵌め口を椅子、テーブル等の家具の脚部の下端に嵌め、上記編み地が有する伸縮性を利用して脚部のキャップとして嵌着するようにしたものが知られている。
【特許文献１】特開２００３−２４１５９号公報
【考案の開示】
【考案が解決しようとする課題】
【０００３】
前記従来の脚カバーの構成は、編み地が有する伸縮性を利用して家具の脚部の下端に嵌められた状態を保持するようにしたものであるが、例えばカーペットの上で使用される椅子の脚に脚カバーを被せて使用する場合、椅子を動かしたときにカーペットとの摩擦が生じることにより、編み地が有する伸縮性だけでは脚カバーが椅子の脚の下端からずれ動いて外れるという問題があった。
【０００４】
本考案の目的は、このような課題を解決するものであり、家具の脚に対するずれ動きを防止するようにした椅子やテーブルなどの脚カバーを提供することにある。
【課題を解決するための手段】
【０００５】
本考案の請求項１に記載の椅子やテーブルなどの脚カバーは、椅子やテーブルなどの脚部の下端を包む脚カバーであって、メリヤス編みにて外側生地部と内側生地部が連続状態で筒状に編成され、外側生地部は綿などの天然繊維あるいは合成繊維などを用いて編成されており、内側生地部はループ部分が生ゴム糸と、芯糸の周りをカバーリングしてなるフィラメント  ツイスト  ヤーンを２本並行に用いてプレーティング編みされ、このループ部分に挿入される挿入部分には芯の生ゴム糸の周りをカバーリングしてなる太ゴムが用いられ、外側生地部と内側生地部との繋がり部で内側生地部を裏向けに折り返した状態で外側生地部の遊端部と内側生地部の遊端部とを縫製にて閉じてなり、前記フィラメント  ツイスト  ヤーンのフィラメント糸を加熱収縮させて熱処理が施されており、外側生地部が表側に位置するように表向けてなることを特徴とする。
【考案の効果】
【０００６】
以上のように、本考案の椅子やテーブルなどの脚カバーは、加熱処理を施すことにより、内側生地部のループ部分のフィラメント  ツイスト  ヤーンのフィラメント糸が収縮して生ゴム糸よりも沈んだ状態で生ゴム糸が脚カバーの内面に飛び出した状態となり、脚カバーは内面が椅子などの脚の表面に強く密着し、脚に対するずれ動き防止効果が得られ、脚に対する脚カバーの装着性が安定する。それにより、床面にカーペットが敷かれており、その上に置かれた椅子などの脚の下端に脚カバーを嵌めて使用した場合、椅子などがカーペットに擦れるように動いて脚カバーとカーペットとの間に摩擦が生じても、脚カバーは脚の下端に対する密着性が強いため脚カバーが脚の下端から外れにくくなる。
【考案を実施するための最良の形態】
【０００７】
以下、本考案の一実施の形態を、図１〜図７に基づいて説明する。
図において、１はメリヤス編みにて外側生地部２と内側生地部３が連続状態で筒状に編成され、外側生地部２と内側生地部３との繋がり部で内側生地部３を裏向けに折り返し、かかる状態で外側生地部２の遊端部と内側生地部３の遊端部とを縫製にて閉じてなる脚カバーである。この脚カバー１の外側生地部２は例えば図６に示すような通常の編組織であって、弾性糸を挿入せずにループ部分４を編成することによって作られている。この外側生地部２の糸条としては綿などの天然繊維あるいは合成繊維などが使用される。また、内側生地部３は例えば図７に示すような編組織で編成されるものであって、ループ部分５は♯５５の生ゴム糸６と４０／７０ＦＴＹ×２  ７を２本並行に用いてプレーティング編みされ、挿入部分８は♯５０の太ゴム９と４０／７０ＦＴＹ×２  １０を２本並行に用いている。なお、前記ＦＴＹとはフィラメント  ツイスト  ヤーンの略語である。
【０００８】
詳しくは４０／７０ＦＴＹ×２  の糸は芯がポリウレタンのフィラメント糸で、その芯の周りをナイロンのフィラメント糸でカバーリングしてなるものである。また、前記太ゴム９は芯の生ゴム糸の周りをポリエステルのフィラメント糸でカバーリングしてなるものである。
【０００９】
以上のような糸条を用いて編成されてなる脚カバー１を外側生地部２と内側生地部３との繋がり部で内側生地部３を裏向けに折り返し、外側生地部２の遊端部と内側生地部３の遊端部とを縫製にて閉じた状態で熱処理により前記ポリウレタンやナイロンなどの合成繊維フィラメント糸を７５℃〜８０℃位の温度で加熱収縮させて伸縮パワーを増強させ、かかる状態で裏向けの脚カバー１を表向けることにより製品が完成する。
【００１０】
上記のように加熱処理を施すことにより、ループ部分５では４０／７０ＦＴＹ×２  ７が収縮して生ゴム糸６よりも沈んだ状態で生ゴム糸６が脚カバー１の内面に飛び出した状態となる。また、挿入部分８では太ゴム９の周りをポリエステルのフィラメント糸や４０／７０ＦＴＹ×２  １０が収縮して、周囲からの締め付け力を向上させる。
【００１１】
従って、以上のように作られた脚カバー１は前記縫製部分が下端に位置し、折り返し部分が上端に位置するように向け、上端の折り返し部分に形成された開口部より椅子１１などの脚１２の下端に嵌める。この状態を図５に示しており、脚カバー１の内面にはループ部分５の生ゴム糸６が飛び出した状態で存在し、挿入部分８では周囲からの締め付け力が増すように作られているので、脚カバー１は内面が椅子１１の脚１２の表面に強く密着し、脚１２に対するずれ動き防止効果が得られ、脚１２に対する脚カバー１の装着性が安定する。それにより、床面にカーペットが敷かれており、その上に置かれた椅子１１の脚１２の下端に脚カバー１を嵌めて使用した場合、椅子１１がカーペットに擦れるように動いて脚カバー１とカーペットとの間に摩擦が生じても、脚カバー１は脚１２の下端に対する密着性が強いため脚カバー１が脚１２の下端から外れにくくなる。
【図面の簡単な説明】
【００１２】
【図１】本考案の一実施の形態の脚カバーを編み終えた直後の状態を示す斜視図である。
【図２】同外側生地部と内側生地部との繋がり部で内側生地部を裏向けに折り返した状態を示す斜視図である。
【図３】同内側生地部を裏向けに折り返した後で外側生地部と内側生地部の遊端部同士を縫製にて閉じた状態を示す斜視図である。
【図４】同外側生地部と内側生地部の遊端部同士を縫製にて閉じた脚カバーを表向けた状態を示す斜視図である。
【図５】同脚カバーを椅子の脚の下端に嵌めた状態を示す斜視図である。
【図６】同外側生地部の編組織図である。
【図７】同内側生地部の編組織図である。
【符号の説明】
【００１３】
１    脚カバー
２    外側生地部
３    内側生地部
４    ループ部分
５    ループ部分
６    生ゴム糸
７    ４０／７０ＦＴＹ×２
８    挿入部分
９    太ゴム
１０    ４０／７０ＦＴＹ×２
１１    椅子
１２    脚
【図１】
0003145650.tif 000003
【図２】
0003145650.tif 000004
【図３】
0003145650.tif 000005
【図４】
0003145650.tif 000006
【図５】
0003145650.tif 000007
【図６】
0003145650.tif 000008
【図７】
0003145650.tif 000009